(57)【特許請求の範囲】
【請求項１】
セキュリティ要素または文書であって、
基材（２０）と、前記基材上に与えられた少なくとも第１動的作用特徴部（１００；１２０；１２２；１２３；１３０；１３５）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ；Ｃ１，Ｍ１）の間で観察可能な時間にわたり動的に変化するものであり、
前記第１動的作用特徴部が、前記基材上に設けられた少なくとも１の近接特徴部（１０１，１０２；１２０ａ，１２０ｂ；１２２ａ，１２２ｂ；１２３ａ，１２３ｂ；１３１，１３２，１３３；１３６，１３７）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記少なくとも１の近接特徴部が、前記照射刺激に応じて変化しない静的カラーアピアランスを有し、その静的カラーアピアランスが、前記第１動的作用特徴部の複数のカラーアピアランスのうちの少なくとも一つと類似するか、または厳密に一致するように選択され、
前記第１動的作用特徴部（１００；１２０；１２２；１２３；１３０；１３５）が、前記基材上に与えられた第１近接特徴部（１０１；１２０ａ；１２２ａ；１２３ａ；１３２；１３６）と少なくとも第２近接特徴部（１０２；１２０ｂ；１２２ｂ；１２３ｂ；１３３；１３７）との間に配置され、前記第２近接特徴部が、前記照射刺激に応じて変化しない静的カラーアピアランスを有し、この静的カラーアピアランスが、前記第１近接特徴部の静的カラーアピアランスとは異なることを特徴とするセキュリティ要素または文書。
【請求項２】
請求項１に記載のセキュリティ要素または文書において、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有することを特徴とするセキュリティ要素または文書。
【請求項３】
請求項１または２に記載のセキュリティ要素または文書において、
前記第２近接特徴部（１０２；１２０ｂ；１２２ｂ；１２３ｂ；１３３；１３７）のカラーアピアランスが、前記第１動的作用特徴部の複数のカラーアピアランスのうちの別の一つと類似であるか、または厳密に一致することを特徴とするセキュリティ要素または文書。
【請求項４】
セキュリティ要素または文書であって、
基材（２０）と、前記基材上に与えられた少なくとも第１動的作用特徴部（１００；１２０；１２２；１２３；１３０；１３５）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ；Ｃ１，Ｍ１）の間で観察可能な時間にわたり動的に変化するものであり、
前記第１動的作用特徴部が、前記基材上に設けられた少なくとも１の近接特徴部（１０１，１０２；１２０ａ，１２０ｂ；１２２ａ，１２２ｂ；１２３ａ，１２３ｂ；１３２，１３３；１３６，１３７）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有し、
前記第１動的作用特徴部（１００；１２０；１２２；１２３；１３０；１３５）が、前記基材上に与えられた第１近接特徴部（１０１；１２０ａ；１２２ａ；１２３ａ；１３２；１３６）と少なくとも第２近接特徴部（１０２；１２０ｂ；１２２ｂ；１２３ｂ；１３３；１３７）との間に配置され、
前記第１近接特徴部（１０１；１２０ａ；１２２ａ；１２３ａ；１３２；１３６）のカラーアピアランスが、前記第１動的作用特徴部の第１、第２および第３カラーアピアランス（Ｃ，Ｆ，Ｍ）のうちの一つと類似であるか、または厳密に一致し、
前記第２近接特徴部（１０２；１２０ｂ；１２２ｂ；１２３ｂ；１３３；１３７）のカラーアピアランスが、前記第１動的作用特徴部の第１、第２および第３カラーアピアランス（Ｃ，Ｆ，Ｍ）のうちの別の一つと類似であるか、または厳密に一致することを特徴とするセキュリティ要素または文書。
【請求項５】
請求項１乃至４の何れか一項に記載のセキュリティ要素または文書において、
前記第１近接特徴部（１０１；１２２ａ；１３２）のカラーアピアランスが、前記第１動的作用特徴部（１００；１２２；１３０）の第２カラーアピアランス（Ｆ）と類似であるか、または厳密に一致し、
前記第２近接特徴部（１０２；１２２ｂ；１３３）のカラーアピアランスが、前記第１動的作用特徴部（１００；１２２；１３０）の第３カラーアピアランス（Ｍ）と類似であるか、または厳密に一致し、
前記第１近接特徴部および第２近接特徴部が、前記第１動的作用特徴部（１００；１２２；１３０）の両側に配置され、前記照射刺激への提供によって、前記第１および第２近接特徴部間で動きの印象がもたらされるものとなっていることを特徴とするセキュリティ要素または文書。
【請求項６】
セキュリティ要素または文書であって、
基材（２０）と、前記基材上に与えられた少なくとも第１動的作用特徴部（１２２；１２３；１３０）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ）の間で観察可能な時間にわたり動的に変化するものであり、
前記第１動的作用特徴部が、前記基材上に設けられた少なくとも１の近接特徴部（１２２ａ，１２２ｂ；１２３ａ，１２３ｂ；１３１，１３２，１３３）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有し、
前記少なくとも１の近接特徴部（１２２ａ，１２２ｂ；１２３ａ，１２３ｂ；１３１，１３２，１３３）が、前記第１動的作用特徴部の第１、第２および第３カラーアピアランス（Ｃ，Ｆ，Ｍ）のうちの少なくとも一つと類似であるか、または厳密に一致するカラーアピアランスを有し、
前記第１動的作用特徴部（１２２；１２３；１３０）が、前記基材上に設けられた第１近接特徴部（１２２ａ；１２３ａ；１３２）と少なくとも第２近接特徴部（１２２ｂ；１２３ｂ；１３３）に近接または隣接する前記基材のある領域に与えられており、前記第２近接特徴部が、前記第１近接特徴部（１２２ａ；１２３ａ；１３２）のカラーアピアランスとは異なるが、前記第１動的作用特徴部の第３カラーアピアランス（Ｍ）と類似であるか、または厳密に一致するカラーアピアランスを有し、前記照射刺激への連続的な定常状態の提供時に、前記第２近接特徴部（１２２ｂ；１２３ｂ；１３３）に対して前記第１動的作用特徴部が実質的に隠れるようになっていることを特徴とするセキュリティ要素または文書。
【請求項７】
請求項６に記載のセキュリティ要素または文書において、
周囲可視光下で、前記少なくとも１の近接特徴部に対して前記第１動的作用特徴部が実質的に隠れるように、前記少なくとも１の近接特徴部が、前記第１動的作用特徴部の第１カラーアピアランス（Ｃ）と類似であるか、または厳密に一致するカラーアピアランスを有することを特徴とするセキュリティ要素または文書。
【請求項８】
セキュリティ要素または文書であって、
基材（２０）と、前記基材上に与えられた少なくとも第１動的作用特徴部（１２１）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ）の間で観察可能な時間にわたり動的に変化するものであり、
前記第１動的作用特徴部が、前記基材上に設けられた少なくとも１の近接特徴部（１２１ａ，１２１ｂ）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有し、
前記少なくとも１の近接特徴部（１２１ａ，１２１ｂ）が、前記第１動的作用特徴部の第１、第２および第３カラーアピアランス（Ｃ，Ｆ，Ｍ）のうちの少なくとも一つと類似であるか、または厳密に一致するカラーアピアランスを有し、
前記照射刺激への連続的な定常状態の提供時に、少なくとも１の近接特徴部（１２１ａ）に対して前記第１動的作用特徴部が実質的に隠れるように、前記少なくとも１の近接特徴部（１２１ａ）が、前記第１動的作用特徴部（１２１）の第３カラーアピアランス（Ｍ）と類似であるか、または厳密に一致するカラーアピアランスを有することを特徴とするセキュリティ要素または文書。
【請求項９】
請求項１乃至６の何れか一項に記載のセキュリティ要素または文書において、
前記第２近接特徴部が、明るい色のカラーアピアランスを有することを特徴とするセキュリティ要素または文書。
【請求項１０】
請求項１乃至６の何れか一項に記載のセキュリティ要素または文書において、
前記第２近接特徴部（１２２ｂ；１２３ｂ；１３３）が、暗い色のカラーアピアランスを有することを特徴とするセキュリティ要素または文書。
【請求項１１】
請求項１乃至８の何れか一項に記載のセキュリティ要素または文書において、
前記少なくとも１の近接特徴部が、明るい色のカラーアピアランスを有することを特徴とするセキュリティ要素または文書。
【請求項１２】
請求項１乃至８の何れか一項に記載のセキュリティ要素または文書において、
前記少なくとも１の近接特徴部が、暗い色のカラーアピアランスを有することを特徴とするセキュリティ要素または文書。
【請求項１３】
セキュリティ要素または文書であって、
基材（２０）と、前記基材上に与えられた少なくとも第１動的作用特徴部（１３０）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ）の間で観察可能な時間にわたり動的に変化するものであり、
前記第１動的作用特徴部が、前記基材上に設けられた少なくとも１の近接特徴部（１３１，１３２，１３３）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有し、
前記第１動的作用特徴部（１３０）が、前記基材上に設けられた第１近接特徴部（１３１）と少なくとも第２および第３近接特徴部（１３２，１３３）に近接または隣接する前記基材のある領域に与えられ、前記第１、第２および第３近接特徴部（１３１，１３２，１３３）が異なるカラーアピアランスを有し、
前記第１近接特徴部（１３１）のカラーアピアランスが、前記第１動的作用特徴部（１３０）の第１カラーアピアランス（Ｃ）と類似であるか、または厳密に一致し、
前記第２近接特徴部（１３２）のカラーアピアランスが、前記第１動的作用特徴部（１３０）の第２カラーアピアランス（Ｆ）と類似であるか、または厳密に一致し、
前記第３近接特徴部（１３３）のカラーアピアランスが、前記第１動的作用特徴部（１３０）の第３カラーアピアランス（Ｍ）と類似であるか、または厳密に一致することを特徴とするセキュリティ要素または文書。
【請求項１４】
セキュリティ要素または文書であって、
基材（２０）と、前記基材上に与えられた少なくとも第１動的作用特徴部（１３５）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ，Ｃ１，Ｍ１）の間で観察可能な時間にわたり動的に変化するものであり、
前記第１動的作用特徴部が、前記基材上に設けられた少なくとも１の近接特徴部（１３６，１３７）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有し、
前記第１動的作用特徴部（１３５）が、前記基材上に設けられた第１近接特徴部（１３６）と少なくとも第２近接特徴部（１３７）に近接または隣接する前記基材のある領域に与えられ、
前記第１近接特徴部（１３６）のカラーアピアランスが、前記第１動的作用特徴部（１３５）の第１および第３カラーアピアランス（Ｃ，Ｍ）の両方と類似であるか、または厳密に一致し、
前記第２近接特徴部（１３７）のカラーアピアランスが、前記第１近接特徴部（１３６）のカラーアピアランスとは異なり、かつ前記第１動的作用特徴部（１３５）の第２カラーアピアランス（Ｆ）と類似であるか、または厳密に一致することを特徴とするセキュリティ要素または文書。
【請求項１５】
セキュリティ要素または文書であって、
基材（２０）と、前記基材上に与えられた少なくとも第１動的作用特徴部（１４０，１５０）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ，Ｃ１，Ｍ１）の間で観察可能な時間にわたり動的に変化するものであり、
前記第１動的作用特徴部が、前記基材上に設けられた少なくとも１の近接特徴部（１４１，１４２，１５１，１６０）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記第１動的作用特徴部（１４０；１５０）が、前記照射刺激への最初の提供時に一時的な蛍光カラーアピアランス（Ｆ）を有し、
前記少なくとも１の近接特徴部が、静的蛍光成分を含む静的蛍光特徴部（１４２；１６０）であり、前記静的蛍光成分が、前記照射刺激への最初の提供時と連続的な定常状態の提供時に、静的蛍光カラーアピアランス（Ｆ＊）を有することを特徴とするセキュリティ要素または文書。
【請求項１６】
請求項１５に記載のセキュリティ要素または文書において、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有することを特徴とするセキュリティ要素または文書。
【請求項１７】
請求項１５または１６に記載のセキュリティ要素または文書において、
前記静的蛍光特徴部（１４２；１６０）の静的蛍光カラーアピアランス（Ｆ＊）が、前記第１動的作用特徴部（１４０；１５０）の一時的な蛍光カラーアピアランス（Ｆ）と類似であるか、または厳密に一致することを特徴とするセキュリティ要素または文書。
【請求項１８】
請求項１５乃至１７の何れか一項に記載のセキュリティ要素または文書において、
前記静的蛍光特徴部（１４２；１６０）が、前記第１動的作用特徴部（１４０；１５０）の少なくとも一部の周りの輪郭を規定することを特徴とするセキュリティ要素または文書。
【請求項１９】
請求項１５乃至１７の何れか一項に記載のセキュリティ要素または文書において、
前記第１動的作用特徴部（１４０；１５０）が、前記照射刺激への連続的な定常状態の提供時に、更なるカラーアピアランス（Ｍ）を有し、
カラーアピアランスを有する少なくとも更なる近接特徴部（１４１；１５１）が、前記第１動的作用特徴部（１４０；１５０）に近接または隣接して設けられていることを特徴とするセキュリティ要素または文書。
【請求項２０】
請求項１９に記載のセキュリティ要素または文書において、
前記更なる近接特徴部（１４１）のカラーアピアランスが、前記第１動的作用特徴部（１４０）の前記更なるカラーアピアランス（Ｍ）と類似であるか、または厳密に一致することを特徴とするセキュリティ要素または文書。
【請求項２１】
請求項１９または２０に記載のセキュリティ要素または文書において、
前記静的蛍光特徴部（１４２）が、前記第１動的作用特徴部（１４０）および前記更なる近接特徴部（１４１）の少なくとも一部の周りの輪郭を規定することを特徴とするセキュリティ要素または文書。
【請求項２２】
請求項１９または２０に記載のセキュリティ要素または文書において、
前記第１動的作用特徴部（１４０）および前記更なる近接特徴部（１４１）が、前記照射刺激への連続的な定常状態の提供時に、予め設定されたパターン（Ｐ１）を一緒に形成することを特徴とするセキュリティ要素または文書。
【請求項２３】
請求項２１に記載のセキュリティ要素または文書において、
前記第１動的作用特徴部（１４０）および前記更なる近接特徴部（１４１）が、前記照射刺激への連続的な定常状態の提供時に、予め設定されたパターン（Ｐ１）を一緒に形成し、前記予め設定されたパターン（Ｐ１）が、前記静的蛍光特徴部（１４２）により形成される輪郭によって、再現または強調されることを特徴とするセキュリティ要素または文書。
【請求項２４】
請求項１５乃至１７の何れか一項に記載のセキュリティ要素または文書において、
前記第１動的作用特徴部（１４０；１５０）および前記静的蛍光特徴部（１４２；１６０）が、少なくとも前記照射刺激への最初の提供時に、予め設定されたパターン（Ｐ１；Ｐ２）を一緒に形成することを特徴とするセキュリティ要素または文書。
【請求項２５】
請求項２４に記載のセキュリティ要素または文書において、
前記第１動的作用特徴部（１４０；１５０）が、前記照射刺激への連続的な定常状態の提供時に、更なるカラーアピアランス（Ｍ）を有することを特徴とするセキュリティ要素または文書。
【請求項２６】
請求項２５に記載のセキュリティ要素または文書において、
前記第１動的作用特徴部（１４０；１５０）が、前記照射刺激への連続的な定常状態の提供を停止した直後に、残留カラーアピアランス（Ｍ）を有することを特徴とするセキュリティ要素または文書。
【請求項２７】
請求項２６に記載のセキュリティ要素または文書において、
前記予め設定されたパターン（Ｐ１；Ｐ２）の一部が、前記照射刺激への連続的な定常状態の提供を停止した直後に、所定の回復時間（τ２）、前記第１動的作用特徴部（１４０；１５０）において見え続けることを特徴とするセキュリティ要素または文書。
【請求項２８】
請求項２４乃至２７の何れか一項に記載のセキュリティ要素または文書において、
前記予め設定されたパターン（Ｐ１；Ｐ２）が、周囲可視光下で隠れることを特徴とするセキュリティ要素または文書。
【請求項２９】
セキュリティ要素または文書であって、
基材（２０）と、前記基材上に与えられた少なくとも第１動的作用特徴部（１７１，１８１，１９１，２００）とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランス（Ｃ，Ｆ，Ｍ，Ｃ１，Ｍ１）の間で観察可能な時間にわたり動的に変化するものであり、
前記第１動的作用特徴部が、前記基材上に設けられた少なくとも１の近接特徴部（１７２，１８２，１８３，１９２，２０１，２０５，２０６）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有し、
前記少なくとも１の近接特徴部が、第２動的作用特徴部（１７２；１８２；１９２；２０５）であり、前記第２動的作用特徴部が、複数のカラーアピアランスを有し、前記照射刺激に応答して動的に変化する光学的スペクトル応答を生じる動的作用成分を含み、
前記第１および第２動的作用特徴部の動的に変化する光学的スペクトル応答が、カラーアピアランスおよび／または応答時間において互いに異なることを特徴とするセキュリティ要素または文書。
【請求項３０】
請求項２９に記載のセキュリティ要素または文書において、
前記第１動的作用特徴部が、周囲可視光下の第１カラーアピアランス（Ｃ）と、前記照射刺激への最初の提供時の第２カラーアピアランス（Ｆ）と、前記照射刺激への連続的な定常状態の提供時の少なくとも第３カラーアピアランス（Ｍ）とを有することを特徴とするセキュリティ要素または文書。
【請求項３１】
請求項２９または３０に記載のセキュリティ要素または文書において、
前記第１および第２動的作用特徴部の各々が、周囲可視光下の第１カラーアピアランスと、前記照射刺激への最初の提供時の第２カラーアピアランスと、前記照射刺激への連続的な定常状態の提供時の少なくとも第３カラーアピアランスとを有することを特徴とするセキュリティ要素または文書。
【請求項３２】
請求項２９乃至３１の何れか一項に記載のセキュリティ要素または文書において、
前記第１および第２動的作用特徴部が、予め設定されたパターン（Ｐ３；Ｐ４；Ｐ５；Ｐ６）を一緒に形成し、その外観が、前記第１および第２動的作用特徴部のカラーアピアランスおよび／または応答時間に依存して動的に変化することを特徴とするセキュリティ要素または文書。
【請求項３３】
請求項３２に記載のセキュリティ要素または文書において、
前記予め設定されたパターン（Ｐ３）が前記照射刺激に応答して色交換を受けるように、前記第１および第２動的作用特徴部（１７１，１７２；２００，２０５）の光学的スペクトル応答が設定されており、前記第１動的作用特徴部（１７１；２００）および前記第２動的作用特徴部（１７２；２０５）のカラーアピアランスが、前記照射刺激への曝露の結果として、周囲可視光下の初期のカラーアピアランス（Ｃ１；Ｃ２）から、その後の前記照射刺激への連続的な曝露により、異なるカラーアピアランス（Ｍ１；Ｍ２）に変化し、このカラーアピアランス（Ｍ１；Ｍ２）が、前記第２動的作用特徴部（１７２；２０５）および前記第１動的作用特徴部（１７１；２００）の初期のカラーアピアランス（Ｃ２；Ｃ１）と類似であるか、または厳密に一致することを特徴とするセキュリティ要素または文書。
【請求項３４】
請求項３２に記載のセキュリティ要素または文書において、
前記予め設定されたパターン（Ｐ４；Ｐ５）が前記照射刺激への曝露下で外観の段階的変化を受けるように、前記第１および第２動的作用特徴部（１８１，１８２，１８３；１９１，１９２）の光学的スペクトル応答が異なる応答時間を有することを特徴とするセキュリティ要素または文書。
【請求項３５】
請求項３２に記載のセキュリティ要素または文書において、
前記第１動的作用特徴部（２００）が、前記基材上に設けられた少なくとも第２近接特徴部（２０１）と近接または隣接して設けられ、前記第２近接特徴部（２０１）が、前記第１動的作用特徴部（２００）の複数のカラーアピアランスのうちの少なくとも１つと類似であるか、または厳密に一致するカラーアピアランスを有し、
前記第２動的作用特徴部（２０５）が、前記基材上に設けられた少なくとも第３近接特徴部（２０６）と近接または隣接して設けられ、前記第３近接特徴部（２０６）が、前記第２動的作用特徴部（２０５）の複数のカラーアピアランスのうちの少なくとも１つと類似であるか、または厳密に一致するカラーアピアランスを有することを特徴とするセキュリティ要素または文書。
【請求項３６】
請求項３５に記載のセキュリティ要素または文書において、
前記予め設定されたパターン（Ｐ６）が前記照射刺激に応答して色交換を受けるように、前記第１および第２動的作用特徴部（２００，２０５）の光学的スペクトル応答が設定されており、前記第１動的作用特徴部（２００）および前記第２動的作用特徴部（２０５）のカラーアピアランスが、前記照射刺激への曝露の結果として、周囲可視光下の初期のカラーアピアランス（Ｃ１；Ｃ２）から、その後の前記照射刺激への連続的な曝露により、異なるカラーアピアランス（Ｍ１；Ｍ２）に変化し、このカラーアピアランス（Ｍ１；Ｍ２）が、前記第２動的作用特徴部（２０５）および前記第１動的作用特徴部（２００）の初期のカラーアピアランス（Ｃ２；Ｃ１）と類似であるか、または厳密に一致することを特徴とするセキュリティ要素または文書。
【請求項３７】
請求項３６に記載のセキュリティ要素または文書において、
前記予め設定されたパターン（Ｐ６）が、前記照射刺激への曝露下で、空間周波数の変化を受けて見えるように、前記第１および前記第２動的作用特徴部（２００，２０５）の配置と、少なくとも第２および第３近接特徴部（２０１，２０６）の配置とが設定されていることを特徴とするセキュリティ要素または文書。
【請求項３８】
請求項１乃至３７の何れか一項に記載のセキュリティ要素または文書において、
前記第１動的作用特徴部が、所与の時点で前記照射刺激を受けるであろう励起領域（Ｂ）と比べて相対的に小さい表面積（Ａ）を有し、その結果、前記第１動的作用特徴部の全体が前記照射刺激を受けることを特徴とするセキュリティ要素または文書。
【請求項３９】
請求項１乃至３７の何れか一項に記載のセキュリティ要素または文書において、
前記第１動的作用特徴部が、所与の時点で前記照射刺激を受けるであろう励起領域（Ｂ）と比べて相対的に大きい表面積（Ａ）を有し、その結果、前記第１動的作用特徴部の一部のみが所与の時点で前記照射刺激を受けることを特徴とするセキュリティ要素または文書。
【請求項４０】
請求項１乃至３９の何れか一項に記載のセキュリティ要素または文書において、
前記動的作用成分が、周囲可視光下の対比カラーアピアランス（Ｃ）と、前記照射刺激への最初の提供時の蛍光カラーアピアランス（Ｆ）と、前記照射刺激への連続的な定常状態の提供時の変調カラーアピアランス（Ｍ）とを有する自己変調蛍光（ＳＭＦ）成分であることを特徴とするセキュリティ要素または文書。
【請求項４１】
請求項１乃至４０の何れか一項に記載のセキュリティ要素または文書において、
前記動的作用成分が、前記照射刺激の停止から所定の回復時間（τ２）後に、最初の対比カラーアピアランス（Ｃ）に可逆的に戻ることを特徴とするセキュリティ要素または文書。
【請求項４２】
請求項１乃至４１の何れか一項に記載のセキュリティ要素または文書において、
前記少なくとも１の動的作用成分が、紫外線（ＵＶ）または赤外線（ＩＲ）スペクトルにおける入力電磁放射に応答することを特徴とするセキュリティ要素または文書。
【請求項４３】
請求項１乃至４２の何れか一項に記載のセキュリティ要素において、
前記セキュリティ要素が、紙幣および同様のセキュリティ文書の基材上に貼付されるか、または基材内に埋め込まれる金属箔要素であることを特徴とするセキュリティ要素。
【請求項４４】
請求項１乃至４２の何れか一項に記載のセキュリティ文書において、
前記セキュリティ文書が紙幣であることを特徴とするセキュリティ文書。
【請求項４５】
請求項１乃至４４の何れか一項に記載のセキュリティ要素または文書の真正性を確認する方法であって、
請求項１乃至４４の何れか一項に記載のセキュリティ要素または文書を前記照射刺激に曝すステップと、
前記照射刺激に対する前記セキュリティ要素または文書の光学的スペクトル応答を観察するステップとを備えることを特徴とする方法。
【請求項４６】
請求項４５に記載の方法において、
前記第１動的作用特徴部の一部のみが所与の時点で前記照射刺激を受けることを特徴とする方法。
【請求項４７】
請求項４５に記載の方法において、
前記第１動的作用特徴部の全体が所与の時点で前記照射刺激を受けることを特徴とする方法。
【発明の詳細な説明】
【技術分野】
【０００１】
本発明は、一般に、セキュリティ要素または文書であって、基材と、基材上に与えられた少なくとも第１動的作用特徴部とを備え、第１動的作用特徴部が、選択された励起波長または波長帯域の照射刺激（それに限定されるわけではないが、特に、紫外線放射）に応答して光学的スペクトル応答を生じる動的作用成分を含み、光学的スペクトル応答が、照射刺激に曝されたときまたは照射刺激に曝されている間に、複数のカラーアピアランスの間で観察可能な時間にわたり動的に変化する、セキュリティ要素または文書に関するものである。
【背景技術】
【０００２】
動的作用成分（または顔料）は、以下“ＤＥＰ”（Dynamic Effect Pigments）と称することとするが、この動的作用成分は、電磁エネルギーによる連続的で均一な照射の下で、複数の光学的なカラーアピアランスを示すことによって、入射励起光に応答する成分群に属する。換言すれば、そのような成分の光学的スペクトル応答は、経時的に一定ではなく、典型的には、観察可能な数秒の間に、あるカラーアピアランスから、少なくとも別の区別できるカラーアピアランスに変化する。そのようなＤＥＰは、具体的に、国際出願ＷＯ２００７／００５３５４Ａ２および米国特許公開公報ＵＳ２００６／０２３７５４１Ａ１において記載および開示されており、それらの内容はすべて、引用により本明細書に援用されるものである。
【０００３】
特定のサブクラスのＤＥＰは、自己変調（自動変調）蛍光顔料またはＳＭＦ（ＡＭＦ）顔料、すなわち、入射励起光への曝露下で蛍光を発するとともに、入射励起光に曝されている間に蛍光応答が経時的に変調される顔料成分である。ＳＭＦ顔料は、特に、蛍光染料とフォトクロミック染料の十分な結合および配列に基づくものであり、フォトクロミック染料は、入射励起光によって活性化されている間に、蛍光染料により生成される蛍光を徐々に変調する。
【０００４】
また、ＤＥＰは、異なる光学的スペクトル応答および／または応答時間を有する蛍光および／またはフォトクロミック染料の適当な組合せに基づくものとすることもできる。同様に、入射電磁放射への連続的な定常状態の曝露下で動的に変化する光学的スペクトル応答は、異なる特性、特に、異なる応答時間を示す異なるフォトクロミック染料の適当な組合せによって生じさせることもできる。
【０００５】
ＤＥＰは、基材上または基材内に、印刷、転写、塗布、埋込み、またはその他の方法による提供を行うことができる。適当な印刷プロセス（特に、偽造防止印刷産業で典型的に使用される、凹版印刷、オフセット印刷およびシルクスクリーン印刷）、塗布／転写プロセス（例えば、ホットまたはコールドスタンピング技術など）および埋込みプロセス（例えば、コットン紙基材の製造において使用されるプロセスなど）は、それ自体従来より知られており、ＤＥＰを適用するために使用することができる。
【０００６】
本発明において、特に、語句“セキュリティ要素”は、セキュリティ文書の基材上または基材内への後提供に適した形態に製造することができる任意の要素を示し、それには、転移可能な箔またはパッチ（紙幣のようなセキュリティ文書上に適用するために使用される、いわゆる光学的可変デバイスまたはＯＶＤと同様のもの）のような基材上に転移するための転移要素と、（紙幣のようなセキュリティ文書の製造に一般に使用されるように）埋込みスレッド、ファイバまたはプランシェットのような製造中に基材内に組み込むための埋込み要素とが含まれる。
【０００７】
語句“セキュリティ文書”は、安全保護価値を有する任意の文書を示し、それには、紙幣、切手、パスポートおよび同様の身分証明書類、運転免許証、ビザ、株券、商標保護ラベル、印紙などが含まれるが、それらに限定されるものではない。
【０００８】
本発明は、革新的な方法でＤＥＰの特性をセキュリティ要素または文書のセキュリティ特徴部として利用する、特に、そのようなセキュリティ要素または文書の証明のために利用する数多くの応用または使用パラダイムを対象としている。
【発明の概要】
【０００９】
本発明の全体的な目的は、セキュリティ要素またはセキュリティ文書であって、基材と、上述したような基材上に設けられた少なくとも１の動的作用成分（dynamic-effect component）を含む動的作用特徴部（dynamic-effect feature）とを備え、少なくとも１の動的作用成分を、１またはそれ以上の更なる成分と組み合わせて利用することにより、ラムダ（lambda）ユーザにより容易に認識できる方法で、入射電磁放射に応答して時間とともに外観が動的に変化する特徴部またはパターンをもたらすようなセキュリティ要素またはセキュリティ文書を提供することである。
【００１０】
より具体的には、本発明の目的は、非常に簡素な照射源よりも複雑な認証ツールの使用を必要とすることなく、容易に識別および認証することができるセキュリティ要素またはセキュリティ文書を提供すること、すなわち、いわゆる“レベル２のセキュリティ特徴部”として利用可能なセキュリティ特徴部を提供することである。
【００１１】
これらの目的は、添付の特許請求の範囲に定義されるセキュリティ要素または文書によって達成される。
【００１２】
すなわち、ここでは、セキュリティ要素または文書であって、基材と、前記基材上に与えられた少なくとも第１動的作用特徴部とを備え、前記第１動的作用特徴部が、選択された励起波長または波長帯域の照射刺激に応答して光学的スペクトル応答を生じる動的作用成分を含み、前記光学的スペクトル応答が、照射刺激に曝されたときまたは照射刺激に曝されている間に、複数のカラーアピアランスの間で観察可能な時間にわたり動的に変化するものであり、前記第１動的作用特徴部が、前記基材上に設けられた少なくとも１の近接特徴部（proximity feature）に近接または隣接する前記基材のある領域に与えられ、前記少なくとも１の近接特徴部が、前記第１動的作用特徴部の複数のカラーアピアランスのうちの少なくとも一つを強め且つ／または引き立てるように選択されたカラーアピアランスを有することを特徴とするセキュリティ要素または文書が提供される。
【００１３】
本発明の有利な実施形態によれば、前記第１動的作用特徴部が、周囲可視光下の第１カラーアピアランスと、前記照射刺激への最初の提供時の第２カラーアピアランスと、前記照射刺激への連続的な定常状態の提供時の少なくとも第３カラーアピアランスとを有する。この場合において、前記動的作用成分として、好ましくは、照射刺激の停止してから所定の回復時間後にその変調カラーアピアランス（modulated color appearance）からその対比カラーアピアランス（contrast color appearance）に可逆的に戻る成分のような、自己変調蛍光（ＳＭＦ）成分を利用することは、特に興味深い。
【００１４】
前記照射刺激は、好ましくは、紫外線（ＵＶ）または赤外線（ＩＲ）スペクトルにおける入射電磁放射からなる。
【００１５】
本発明の一実施形態によれば、前記少なくとも１の近接特徴部が、前記照射刺激に応じて変化しない静的カラーアピアランスを有し、その静的カラーアピアランスが、前記第１動的作用特徴部の複数のカラーアピアランスのうちの少なくとも一つと類似するか、または厳密に一致するように選択される。この実施形態の様々な変形例が開示される。
【００１６】
本発明の別の実施形態によれば、前記少なくとも１の近接特徴部が、前記第１動的作用特徴部の複数のカラーアピアランスのうちの少なくとも一つと類似するか、または厳密に一致するカラーアピアランスを有するように選択される。この場合においては、１、２、３（またはそれ以上）の近接特徴部が提供されて、その各々が、前記第１動的作用特徴部の複数のカラーアピアランスのうちの異なる一つと類似するか、または厳密に一致するカラーアピアランスを有する。この実施形態の様々な変形例が開示され、その中には、前記第１動的作用特徴部が、周囲可視光下の第１カラーアピアランスと、前記照射刺激への最初の提供時の第２カラーアピアランスと、前記照射刺激への連続的な定常状態の提供時の少なくとも第３カラーアピアランスとを有するタイプである変形例が含まれる。
【００１７】
本発明の更なる実施形態によれば、前記第１動的作用特徴部が、前記照射刺激への最初の提供時に一時的な蛍光カラーアピアランス（transitory fluorescent color appearance）を有し、前記少なくとも１の近接特徴部が、静的蛍光成分を含む静的蛍光特徴部（static fluorescent feature）であり、前記静的蛍光成分が、前記照射刺激への最初の提供時と連続的な定常状態の提供時に、静的蛍光カラーアピアランス（static fluorescent color appearance）を有する。前記静的蛍光特徴部の静的蛍光カラーアピアランスは、特に、前記第１動的作用特徴部の一時的な蛍光カラーアピアランスと類似するか、または厳密に一致するように選択することができる。この更なる実施形態の様々な変形例が開示され、その中には、周囲可視光下で予め設定されたパターンを隠すことができ、その予め設定されたパターンが、照射刺激への提供時にのみ視認可能となる変形例が含まれる。
【００１８】
本発明の更に別の実施形態によれば、前記少なくとも１の近接特徴部が、第２動的作用特徴部であり、前記第２動的作用特徴部が、複数のカラーアピアランスを有し、照射刺激に応答して動的に変化する光学的スペクトル応答を生じる動的作用成分を含み、前記第１および第２動的作用特徴部の動的に変化する光学的スペクトル応答が、カラーアピアランスおよび／または応答時間において互いに異なる。この追加的な実施形態は、特に、照射刺激への暴露下で外観が動的に変化するより複雑な特徴部およびパターンの生成を可能にする。
【００１９】
ここではさらに、セキュリティ要素または文書の真正性を確認する方法であって、セキュリティ要素または文書を前記照射刺激に曝すステップと、前記照射刺激に対する前記セキュリティ要素または文書の光学的スペクトル応答を観察するステップとを備える方法が提供される。
【００２０】
上記セキュリティ要素または文書の有利な実施形態は、従属請求項の主題を形成する。
【図面の簡単な説明】
【００２１】
本発明のその他の特徴および利点は、単なる非限定的な実施例として提示されて添付の図面によって示される以下の本発明の実施形態の詳細な説明を読むことにより、より明確になるであろう。
【図１】図１は、本発明において有利に利用可能なＤＥＰのサブクラスであるＳＭＦ顔料の変調原理を示す“性能指数”である。
【図２】図２は、ａ．からｇ．までの様々な一連の照射条件下、すなわち、周囲可視（すなわち、白色）光下での状態（状態ａ．およびｇ．）および照射刺激に対する最初のおよび連続的な定常状態の曝露下での一連の状態（状態ｂ．乃至ｆ．）における単一のＳＭＦ顔料粒子の概略図である。
【図３】図３は、図２と同様の概略図であり、ここでは、動的作用成分（この場合はＳＭＦ顔料）が、最初に結合剤または同様のインクまたはワニス溶剤に取り込まれた後、例えば印刷によって、基材上に塗布されている。
【図４】図４は、ａ．からｇ．までの様々な一連の照射条件下におけるビニール袋中の未加工の形態のＳＭＦ顔料の一連の写真を示しており、それぞれ、周囲可視光下（状態ａ．）、入射電磁放射に最初に局所的に曝されたとき（例えば、小型の紫外線ランプを使用−状態ｂ．）、照射刺激に対する連続的な定常状態の曝露下（変調状態ｃ．およびｄ．）、照射刺激に対する曝露を停止したとき（変調状態ｅ．）の写真である。
【図５】図５は、結合剤に組み入れられた後に基材上に塗布されたＳＭＦ顔料の動的に変化する光学的スペクトル応答を同様に示す一連の写真を示している。
【図６】図６ａ乃至６ｃは、本発明に係る可能性のある照会または証明方法を示しており、ここでは、少なくとも１の動的作用特徴部が、少なくとも１の近接特徴部、この例では２の近接特徴部に近接または隣接して塗布されており、それら近接特徴部が、動的作用特徴部のカラーアピアランスのうちの異なる一つに類似のまたは厳密に一致するカラーアピアランスを有する。
【図７】図７ａ乃至７ｃは、本発明に係る可能性のある別の照会または証明方法を示しており、ここでは、少なくとも１の動的作用特徴部が、所与の時点で励起される領域よりも大きな面積を有する領域に適用されている。
【図８】図８ａ乃至８ｄは、本発明に係るセキュリティ特徴部の実施形態を示しており、ここでは、動的作用特徴部が同心円の形態で２つの近接特徴部の近傍にまたは隣接して適用され、近接特徴部の少なくとも一方が、動的作用特徴部のカラーアピアランスのうちの１つに類似のまたは厳密に一致するカラーアピアランスを有する。
【図９】図９ａおよび９ｂは、本発明に係るセキュリティ特徴部の更なる２つの実施形態を示しており、ここでは、動的作用特徴部が、ストライプの形態の複数の近接特徴部の近傍にまたは隣接して適用され、近接特徴部が、動的作用特徴部のカラーアピアランスのうちの異なる一つに類似のまたは厳密に一致するカラーアピアランスを有する。
【図１０】図１０は、本発明に係るセキュリティ特徴部のさらに別の実施形態を示しており、ここでは、照射刺激に対する最初の提供時に一時的な蛍光のカラーアピアランスを有する動的作用特徴部が、近接特徴部または静的蛍光成分を有する静的蛍光特徴部に近接または隣接する基材のある領域に適用され、静的蛍光成分が、照射刺激に対する最初の提供時と連続的な安定状態の提供時に静的蛍光カラーアピアランスを有する。
【図１１】図１１は、図１０に示すものと同様の原理を具体化した、本発明に係るセキュリティ特徴部の別の実施形態を示しており、ここでは、第１および第２セットのストライプが織り交ぜられ、第１セットのストライプが、一時的蛍光カラーアピアランスを有する動的作用特徴部を備え、第２セットのストライプが、静的蛍光カラーアピアランスを有する静的蛍光特徴部を備え、それらストライプが、周囲可視光下で情報（この例では数字の“２０”）を隠すように設計されている。
【図１２】図１２は、本発明に係るセキュリティ特徴部のさらに別の実施形態を示しており、ここでは、第１および第２の動的作用特徴部が対応する近接または隣接領域に適用され、第１および第２の動的作用特徴部の動的に変化する光学的スペクトル応答が互いに異なり、動的作用特徴部により形成されるパターンによって生じる外観が、照射刺激に対する曝露下で色交換の印象をもたらすものとなっている。
【図１３】図１３は、本発明に係るセキュリティ特徴部の更なる実施形態を示しており、ここでは、異なる応答時間を有する３つの動的作用特徴部が、基材の対応する近接または隣接領域に適用され、動的作用特徴部により形成されるパターンによって生じる外観が、照射刺激に対する曝露下で段階的な変化の印象をもたらすものとなっている。
【図１４】図１４は、図１３に示す実施形態の変形例を示しており、動的作用特徴部により形成されるパターンによって生じる外観が、照射刺激に対する曝露下で段階的な変化の印象をもたらすものとなっている。
【図１５】図１５は、本発明に係るセキュリティ特徴部のさらに別の実施形態を示しており、ここでは、第１および第２動的作用特徴部が、同一または類似のカラーアピアランスを有する近接特徴部に近接または隣接する対応領域に適用され、動的作用特徴部および近接特徴部により形成されるパターンによって生じる外観が、照射刺激に対する曝露下で空間周波数の変化の印象をもたらすものとなっている。
【発明を実施するための形態】
【００２２】
以下に述べる様々な実施は、主に、１またはそれ以上の近接特徴部と組み合わせて、少なくとも１の動的作用特徴部を使用することにより、非常に簡素な照射源よりも複雑な認証ツールを必要とすることなく、ラムダユーザにより容易に認識可能な方法で、入射電磁放射に応答して時間とともに外観が動的に変化するパターンを生じさせることに基づくものである。換言すれば、以下に述べる様々な実施形態は、セキュリティ文書用のいわゆる“レベル２のセキュリティ特徴部”として適当に使用することができる。
【００２３】
“動的作用特徴部”は、基材上に提供される特徴部であって、選択された励起波長または波長帯域の照射刺激に応答して光学的スペクトル応答を生じる少なくとも１のＤＥＰまたはＳＭＦ顔料のような少なくとも１の動的作用成分を含む特徴部を言及するものとして理解されるべきであり、上記光学的スペクトル応答は、照射刺激に曝されたときまたは照射刺激に曝されている間に、複数のカラーアピアランスの間で観察可能な時間にわたり動的に変化するものである。
【００２４】
“近接特徴部”は、基材上に提供される特徴部であって、少なくとも１のカラーアピアランスを有し、動的作用特徴部に近接または隣接して配置される特徴部を言及するものとして理解されるべきである。本発明において、そのような１または複数の近接特徴部は、動的作用特徴部の複数のカラーアピアランスのうちの少なくとも１つを強め且つ／または引き立たせるように選択されたカラーアピアランスを有する。以下の説明において様々な実施形態を検討するものする。
【００２５】
ＤＥＰは、全く新規で新しいものであるため、それらの利用法および作用を完全に説明する正式な色彩理論は未だ存在しない。しかしながら、静的または従来の顔料については、（ｉ）１９０５年に最初に発行されたマンセル表色系が、客観的に色を測定するためのモデルを提供している。このモデルにおいて、色は、三次元、すなわち色相、色値（輝度）および彩度（色純度）で特徴付けられている。色を特徴付ける様々な手段を提供するその他の表色系として、例えば、（ｉｉ）３つの波長依存の表色を与える、国際照明委員会によって１９３１年に作成されたＣＩＥ三刺激色空間モデルと、（ｉｉｉ）加法混色の原色の赤、緑および青に基づくＲＧＢ表色系と、（ｉｖ）（色相、彩度、色値）および（色相、彩度、輝度）の観点から色をそれぞれ規定する１９７８年にＡｌｖｙ  Ｒａｙ  Ｓｍｉｔｈにより特徴付けられたＨＳＶおよびＨＳＬモデルとがそれぞれ知られている。しかしながら、それら表色系およびそれらに類似のその他のものはすべて、時不変パラメータのセットで色を規定している。顔料、着色剤、染料、顔料および染料のばらつき、顔料およびその他の有色系および物質の溶液は、関連付けにより、幾つかの色モデルのそれら静的な色の観点から特定される。
【００２６】
従来の着色剤および顔料とは大きく異なり、ＤＥＰは、色相、色値および彩度の複数のセットを有し、それらを、生じさせることができる様々なカラーアピアランスを表現するのに使用することができる。パラメータのそれらセットは、一般には、観察者が色のパラメータの変化に容易に気付くことができる十分に短い時間で、時間とともに変化する。大雑把な例として、周囲の白色光において赤から始まり、ある刺激下で緑に変わり、その数秒後に同じ刺激下で茶にさらに変化する顔料は、定義上はＤＥＰである。この顔料が、刺激が抑制されたときに元の赤に戻る場合には、可逆的または復元可能なＤＥＰとみなすことができる。顔料が、刺激が取り除かれたときに、変移した色の一つを維持する場合には、不可逆的または永続的ＤＥＰとみなすことができる。本発明においては、可逆的なＤＥＰが好ましいが、不可逆的なＤＥＰも、使用することができ、本発明の範囲内に含まれる。
【００２７】
以下の説明には、結合剤としてインクおよびコーティングを使用して紙の上に印刷されるときのような用途において、効果の様相を引き立たせるのを助ける数多くの実施手順および使用パラダイムが開示される。しかしながら、以下の実施は、印刷以外の応用プロセスによっても、例えば、要素内または要素上に組み込んでそれらを基材上に貼付することまたは基材内に埋め込むことによっても、同様に実現できることに留意されたい。
【００２８】
本発明において予期される、上で簡単に述べたＤＥＰの好ましい実施形態は、いわゆるＳＭＦ（Self-Modulated Fluorescent：自己変調蛍光）顔料である。ＳＭＦ顔料は、可視（白色）光下で見た後に電磁放射、特に紫外線照射の一定レベルおよび強度で励起されるときに、時間の関数として、多様なカラーアピアランスを有する。そのような顔料は、周囲光によって見られる第１の対比色（Ｃ）を有し、続いて、白色光で見える（しかし、励起照射によってもたらされる）第２の蛍光色（Ｆ）を有し、さらに続いて、同じ白色光で見える第３の変調色（Ｍ）を有し、その顔料の色域は、数秒間で遷移し、その結果、容易に観察できる動的外観を観察者に提供することができる。表色に関して、これは、ＳＭＦ［Ｃ，Ｆ，Ｍ］として提示することができ、ここで、Ｃ，ＦおよびＭはすべて、任意の適当な色モデルまたは表色系によって定義されるように、別個の異なる色相、色値および彩度の値を有することができる。
【００２９】
また、それらパラメータは、あるアピアランスから別のアピアランスに遷移するのに関連する時定数の変化とともに、時間の関数として、生じ、または互いに変化し、その後、それらの元の色（Ｃ）に回復することができる（可逆的なＳＭＦ顔料の場合）。最初の対比色Ｃを有する自己変調蛍光顔料は、適当な電磁刺激（例えば、紫外線光）を照射したときに、最初に、その蛍光色Ｆで蛍光を発し、その後、時定数τ１で、第３の変調色Ｍに移行する。変調色Ｍは、電磁刺激が同じ強度レベルで存在する限りは、外見上安定したものとなる。この刺激が取り除かれると、顔料は、時定数τ２で元の色Ｃに徐々に戻る。このため、均質物質と考えられるこの性質のＳＭＦ顔料は、それに関連する少なくとも５のパラメータ、すなわち［Ｃ，Ｆ，Ｍ，τ１，τ２］を有する。
【００３０】
また、これらの変数に加えて、蛍光の相対的に初期の瞬間輝度と、変化がそれを低下させる程度も存在する。その低下が完全にゼロの蛍光に至る必要はないからである。図１は、最初のターンオン時のＳＭＦ顔料の蛍光（Ｆｉ）と、低いレバー（lower lever）への定常変調時における蛍光（Ｆｍ）との間の相対的な差異を説明する“性能指数”（ＦＯＭ）を特定する。この相対的差異は、効果の相対的“変調度”（ＭＤ）と称することができる。相対的変調度は、次のような任意の標準的な変調度方程式を使用して数学的に規定することができる。
【００３１】
ＭＤ＝（Ｆｉ−Ｆｍ）／（Ｆｍａｘ−Ｆｍｉｎ）          ［１］
【００３２】
ここで、Ｆｍａｘは、変調せずに粒子により得られる最大蛍光であり、Ｆｍｉｎは、変調せずに粒子により得られる最小蛍光である。しかしながら、変調度ＭＤは、その他の適当な方法で定義することも可能である。
【００３３】
すなわち、ＳＭＦ顔料は、少なくとも以下のパラメータ、すなわち、ＳＭＦ［Ｃ，Ｆ，Ｍ，τ１，τ２，ＭＤ］によって、表すことができる。図１は、顔料の処方に応じて、ＳＭＦ顔料が、どのようにして異なる変調度ＭＤ１，ＭＤ２，ＭＤ３等を得ることができるのかを示している。
【００３４】
ＳＭＦ顔料系は、米国特許公開公報ＵＳ２００６／０２３７５４１Ａ１および国際公報ＷＯ２００７／００５３５４Ａ２に記載されている。
【００３５】
図２は、ａ．からｇ．までの様々な一連の照射条件下における単一のＳＭＦ顔料粒子を概略的に示している。ａ．からｇ．までのすべての例において、すなわち、周囲可視（白色）光（状態ａ．）、励起光（例えば、紫外線光）に対する最初のおよび連続的な定常状態の曝露下での蛍光変調の増加により異なる一連の状態（状態ｂ．乃至ｆ．）において、同じ粒子が示されている。状態ｇ．は、粒子が元の状態に戻った後の周囲白色光下における粒子を示している。状態ａ．およびｇ．において、粒子は、その対比色（contrast color）Ｃ、例えば、黄土色を示す。励起光に最初に曝されると（周囲白色光がまだ照射されている間に）、粒子は、最初の蛍光状態（状態ｂ．で示される）に変化し、その蛍光色（fluorescent color）Ｆ、例えば、緑の蛍光色を示す。その後、蛍光は、状態ｆ．で示される最終変調状態に達するまで（応答時間τ１の後）、状態ｃ．乃至ｅ．によって概略的に示されるように、時間とともに（典型的には約２秒以内に）徐々に減少し、その変調色（modulation color）Ｍ、例えば、濃い灰色を示す。励起光の除去に続いて、ＳＭＦ粒子は、（回復時間τ２の後）その元の状態ｇ．に戻る。
【００３６】
図２の図面において、状態ｆ．における粒子の様相は、完全なオフ状態における顔料粒子を示しており、非常に僅かの蛍光が依然として粒子から発せられている。この場合、オン／オフ効果の変調度は、状態ｂ．から状態ｆ．に遷移するに連れて高くなる。変調度は、フィートランバートのような輝度の単位で、あるいは一定励起強度下における最初の輝度に対する蛍光効果の最終輝度の割合として、定量的に与えることができる。
【００３７】
この粒子は、励起が取り除かれた後に、最初のカラーアピアランスＣに戻ることができる。この時定数（τ２）は、典型的には、ＳＭＦ顔料の所望の用途に応じて、数秒から数十秒の程度、あるいは数年にも達する。
【００３８】
上記例示的な実施例において、ＳＭＦ顔料の記号表示は、ＳＭＦ［黄土色，緑色，灰色，２，２０，８０］とすることができ、ここで、黄土色は対比色Ｃ、緑色は蛍光色Ｆ、灰色は変調色Ｍ、２および２０は変調オフおよび回復時定数τ１，τ２（秒）、８０は、顔料の変調効果により取り除かれる最初の蛍光の割合である。
【００３９】
図３は、結合剤に結合されて基材に塗布されたＳＭＦ顔料（図２を参照して述べたＳＭＦ顔料と同様のもの）の作用を概略的に示している。顔料／結合剤が基材に塗布された領域は、周囲の白色光下で見たときに対比色Ｃ（例えば、黄土色）の第１アピアランスを有する（状態ａ．）。適当な刺激（例えば、紫外線光）で励起されると、刺激を受けた領域は即座に緑の蛍光を発し（状態ｂ．）、蛍光が弱まるように変調し（状態ｃ．乃至ｅ．）、約２秒で灰色（状態ｆ．）に遷移する。刺激を受けた領域は、刺激が取り除かれてから約２秒で最初の対比色に戻る（状態ｇ．）。
【００４０】
図４は、ビニール袋中の未加工の形態のＳＭＦ顔料の一連の写真を示している。ＳＭＦ顔料は、その最初の形態（写真ａ．）から、小さい紫外線ランプによって即時の蛍光発色を開始し（写真ｂ．）、その後、蛍光が同じ強度の光の下で徐々に変調オフされる（写真ｃ．およびｄ．）ことが分かる。変調は、典型的には、その定常値に達するのに約２乃至３秒を要する。紫外線励起が抑制されると、灰色の変調色が典型的には約２０乃至３０秒間続く。これは、回復時定数が瞬間的なものではないことを示している。
【００４１】
図５は、図４に記載の作用と同じ作用であるが、結合剤に組み入れられて基材に塗布された顔料における作用を示している。印刷された顔料の作用は、未加工の顔料の形態において説明したものと実質的に同じである。
【００４２】
上述したＳＭＦ顔料のようなＤＥＰは、紙またはプラスチック基材に限定されるわけではないがそれらを含む様々な基材上に印刷あるいは塗布することができ、または基材内に組み入れることができる。それらの作用は、必要な照射条件下で容易に見て観察することができる。それらの作用は、後述するように、賢明な使用パラダイムおよびそれらの近傍にある特徴部および色彩の創造的な選択を通じて、強めることができる。近傍の色彩および近傍の特徴部は、それらに対する顔料の作用が分かる程度に動的作用成分に十分に近いものであり、ＤＥＰ特徴部がその様相および／または色彩を介して遷移する間に、動的な比較がなされることを可能にする。それに関して、本発明によれば、選択された動的作用成分が適用される領域は、近接色／特徴部に隣接して配置することができ（図６ａ−６ｃ，８ａ−８ｄ，９ａ，９ｂ，１０，１１を参照）、あるいは近接配置することができる（図１２乃至１５を参照）。
【００４３】
また、近接色／特徴部の使用に加えて、ＤＥＰのある性質を強化して十分に引き出すために、照合法（interrogation methodology）も使用することができる。そのような照合法の一つは、所与の時点で照射刺激に曝される領域が、（例えば、図６ａ乃至６ｃに示すように）動的作用成分が適用および配置される領域よりも大きくなるようにする。換言すれば、動的作用特徴部（図６ａ乃至６ｃの領域１００）は、その表面積（図６ａの領域Ａ）が所与の時点で照射される領域（図６ａの領域Ｂ）よりも小さい。この場合、１または複数の近接色／特徴部は、動的作用成分が適用される領域に近接または隣接して配置される領域（例えば、図６ａ乃至６ｃの領域１０１および１０２など）によって形成される。
【００４４】
そのような照合法は、特に、対象領域全体を照射するように構成された大領域照射源を利用することができ、大領域照射源は、紙幣および同様のセキュリティ文書を照合するために、従来より一般的に使用されている。この照合法の利点は、その他の近接色に対してその全周囲上で見られ、励起源が小さい振幅でディザリングされる場合においても均一な変化を受けるということである。使用される励起源のディザリングは、照明器または基材が手で持たれる場合に、手の僅かな動きから生じる可能性がある。
【００４５】
別の照合法は、所与の時点で照射刺激に曝される領域が、（例えば、図７ａ乃至７ｃに示すように）動的作用成分が適用および配置される領域よりも小さくなるようにする。換言すれば、動的作用特徴部（図７ａ乃至７ｃの領域１１０）は、その表面積（図７ａの領域Ａ）が、所与の時点で照射される領域（図７ａの領域Ｂ）よりも大きい。この後者の場合は、１または複数の近接色／特徴部が、動的作用成分が塗布されるが励起されない隣接領域によって形成される。
【００４６】
この別の照合法は、例えば、図４および図５に示すように、局所領域を照射するように単に構成されたＬＥＤ（発光ダイオード）デバイスのような小さい照射源を特に利用することができる。先の照合法とは異なり、動的作用成分が適用される特徴部に対する照射源のディザリングまたは小さな局所的動きは、（図７ｂおよび図７ｃに概略的に示されるように）蛍光が定常オフ状態に既に変調されて色が変調色Ｍに変化している領域の縁部の周りに、蛍光を連続的に誘発するために使用される。照射源が短時間のみ（ｔ≪τ１）特徴部１１０の何れか部分に入射する限りにおいては、変調が、蛍光を定常状態レベルに低下させて変調させるのに十分な時間を有さないため、刺激を受けたときに蛍光のみが特徴部から生じることとなる。このため、励起源のディザリングは、作用の定常状態変調が生じた後に、対比色Ｃまたは変調色Ｍの何れとも異なる蛍光色Ｆを使用して動的近接特徴部を生じさせるために有効に用いることができる。
【００４７】
図６ａ乃至６ｃおよび図７ａ乃至７ｃは、照射源に対して小さいおよび大きい動的作用特徴部を示すとともに、ＳＭＦ特徴部のような特定のＤＥＰ特徴部の動的作用をさらに強めるために照合法がどのように使用され得るのかを強調している。
【００４８】
図８ａ乃至８ｄを参照すると、何れも動的作用成分が基材上に適用される動的作用特徴部を提供することに基づく様々な実施形態が示されており、動的作用特徴部が、基材上に与えられた第１および第２近接特徴部と近接または隣接（この場合には、直接隣接）し、それら近接特徴部が、それぞれのカラーアピアランスを有し、それらカラーアピアランスが、動的作用特徴部の複数のカラーアピアランスのうちの少なくとも１つと類似または厳密に一致するものとなっている。より正確には、図８ａ乃至８ｄに示す実施形態はすべて、同心円を形成する３つの特徴部を含み、そのうち、中心領域および外側領域が、近接特徴部を形成して静的カラーアピアランスを有し、中間円形領域が、動的作用特徴部を形成して少なくとも１の動的作用成分を含み、その結果、照射刺激に応答して動的に変化する光学的スペクトル応答を示すものとなっている。それらの好ましい実施例においては、動的作用特徴部が、周囲可視白色光の下で対比カラーアピアランスＣを示し（図８ａ乃至８ｄにおける状態ａ．）、照射刺激への最初の提供時に蛍光カラーアピアランスＦを示し（図８ａ乃至８ｄにおける状態ｂ．）、照射刺激への連続的な定常状態の提供時に変調カラーアピアランスＭを示すような（図８ａ乃至８ｄにおける状態ｃ．）少なくとも自己変調蛍光成分を含む。
【００４９】
図８ａ乃至８ｄに示すように、動的作用特徴部に隣接（または場合によっては近接）する近接特徴部のカラーアピアランスを利用することにより、様々な作用を作り出すことができる。
【００５０】
図８ａの例では、中心領域１２０ａの近接色が、領域１２０の動的作用特徴部の対比色Ｃと同様となるようにまたは厳密に一致するように選択される一方、外側領域１２０ｂの近接色が、領域１２０の動的作用特徴部の蛍光色Ｆと同様となるようにまたは厳密に一致するように選択される。
【００５１】
図８ｂの例では、中心領域１２１ａおよび外側領域１２１ｂの両方の近接色が、領域１２１の動的作用特徴部の変調色Ｍと同様となるようにまたは厳密に一致するように選択される。
【００５２】
図８ｃの例では、中心領域１２２ａの近接色が、領域１２２の動的作用特徴部の蛍光色Ｆと同様となるようにまたは厳密に一致するように選択される一方、外側領域１２２ｂの近接色が、領域１２２の動的作用特徴部の変調色Ｍと同様となるようにまたは厳密に一致するように選択される。
【００５３】
図８ｄの例では、中心領域１２３ａの近接色が、領域１２３の動的作用特徴部の対比色Ｃと同様となるようにまたは厳密に一致するように選択される一方、外側領域１２３ｂの近接色が、領域１２３の動的作用特徴部の変調色Ｍと同様となるようにまたは厳密に一致するように選択される。
【００５４】
このように、様々な動的作用は、動的作用特徴部のカラーアピアランスの何れかに一致するように近接特徴部のカラーアピアランスを使用することにより、生じさせることができる。
【００５５】
また、動的作用特徴部の動的色の色相と近接特徴部の近接色の色相とを使用することにより、（例えば、図８ａまたは８ｄに示すように）照射刺激への提供前に、周囲可視光下で動的作用特徴部を実質的に隠すことも可能である。これは、セキュリティおよび／または美観上の目的のために通常の照明条件下で動的作用特徴部が目立たないか、または隠れるようにすることが意図される用途において、そうすることが望ましいことがある。
【００５６】
同様に、変調オフ状態において動的作用特徴部の、例えば、暗い色のカラーアピアランスに一致する近接色を選択することは、（例えば、図８ｂ、８ｃおよび８ｄに示すように）動的作用特徴部と近接色との間のコントラストを減ずることにつながり、照射刺激への特徴部の提供時に比較的短い蛍光のバーストの印象を与えるものとなる。
【００５７】
明らかにその他の組合せも可能であり、特に、ＳＭＦ特徴部の場合、そのカラーアピアランスが蛍光色Ｆから変調色Ｍに徐々に遷移することから、ＳＭＦ特徴部の蛍光色Ｆと変調色Ｍとの間の遷移状態の何れかに一致するように近接色の何れか一つを選択することも可能である。
【００５８】
動的作用特徴部は、ＤＥＰ（例えば、ＳＭＦ）顔料が基材に印刷または塗布される領域として規定されるものであり、この動的作用特徴部は、近接特徴部が明るいか、暗いかまたは中間の色であるかどうかに関わらず、様々な形態を採ることができる。この特徴部は、（図６ａ乃至６ｃに関連して既に述べたように）照射されたときに照射源がそれを完全にカバーするように小さくすることができ、あるいは特徴部は、（図７ａ乃至７ｃに関連して既に述べたように）動的作用が動的作用特徴部内のどこかで生じるように、所与の時点で照射源により励起される領域よりも大きくすることができる。何れの場合にも、顔料の遷移は、刺激条件下で変化しない１またはそれ以上の近接色に対して引き立たせることができる。
【００５９】
近接色を含む特に有効な使用パラダイムは、動的作用成分の遷移色の対応する一つにそれぞれ一致する近接色を含む。具体的に、上述したように遷移色Ｃ、Ｆ、Ｍを有するＳＭＦ特徴部の場合には、そのような近接色は、具体的に、ＳＭＦ特徴部の対比色Ｃと厳密に一致する一つの近接色、ＳＭＦ特徴部の蛍光色Ｆと厳密に一致する一つの近接色、および／またはＳＭＦ特徴部の変調色Ｍと厳密に一致する一つの近接色を含むことができ、任意の組合せが可能である。
【００６０】
そのような場合、動的作用特徴部は、作用の進行中、一つの色から始まり、その後すぐに、別の色に一致するように見える。動的作用特徴部／近接特徴部の組合せに従うこの特徴部の見掛け上の展開は、照射源により刺激される領域よりも動的作用特徴部が小さく、動的作用特徴部の全体が、動的作用成分の遷移色のうちの少なくとも一つを呈する場合に、非常に有効である。
【００６１】
図９ａには可能性のある実施例が示されており、この実施例では、動的作用特徴部（ここでは、ＳＭＦ顔料を含む）が、３つの近接特徴部１３１，１３２，１３３（ここでは、ストライプの形状を有する）に隣接する領域１３０（この例では、ディスクの形状を有する）に適用され、各近接特徴部が、ＳＭＦ特徴部の対比色Ｃ、蛍光色Ｆおよび変調色Ｍの一つ一つに一致する静的な近接色を有するものとなっている。周囲白色光下（図９ａにおける状態ａ．）においては、ＳＭＦ特徴部のカラーアピアランスがライン１３１のカラーアピアランスと一致し、照射刺激への提供時に、その蛍光カラーアピアランスに最初に変化してライン１３２のカラーアピアランスと一致し（図９ａにおける状態ｂ．）、その後、蛍光が変調されるに連れて徐々に変化して、ライン１３３のカラーアピアランスと一致する（図９ａにおける状態ｃ．）。この実施形態は、図６ａ乃至６ｃに例示した場合と同様に、照射刺激への曝露下で、第２近接特徴部１３２と第３近接特徴部１３３との間で同様の動きの印象を生じさせるものとなる。
【００６２】
特定の場合においては、ＳＭＦ特徴部の変調色Ｍを、対比色Ｃと一致するように、または対比色と同様となるように、選択することができる。そのような実施形態では、動的作用特徴部が、対比色Ｃから蛍光色Ｆに遷移し、その後、蛍光が変調されるに連れて対比色に戻る。変調色が対比色に厳密に一致する場合、特徴部は、入射電磁励起による連続刺激下で瞬間蛍光パルスを受けるように見えるものとなる。
【００６３】
図９ｂには、この特定の場合が示されており、この例では、動的作用特徴部が、近接特徴部１３６，１３７（この場合も、ストライプの形状を有する）に隣接する領域１３５（この場合も、ディスクの形状を有する）に適用され、各近接特徴部が、対比色Ｃおよび蛍光色Ｆの一つ一つに一致する静的な近接色を有するものとなっている。
【００６４】
別の実施形態は、動的作用特徴部に動的作用を誘発する同じ照射刺激下で、静的な蛍光応答により蛍光を発する近接特徴部の隣に、一時的な蛍光応答を有する動的作用成分を、一体化することを含む。ここで、近接特徴部の蛍光色は、（必ずしも必要ではないが）動的作用特徴部の一時的な蛍光色と同じにすることもできる。ＳＭＦ成分は、これに関連して、特に興味深いものである。そのような組合せにより、特徴部の静的で非変調蛍光成分が与えられた部分は、照射刺激の継続期間、一定の放射レベルで蛍光を発するものとなる。これとは対照的に、ＳＭＦ特徴部は、最初に蛍光を発するが、その後に、変調オフして、静的な蛍光領域と自己変調蛍光領域との間に差異を与える。励起源が抑制されると、静的な蛍光領域は、蛍光を発するのを止めるが、変調領域は、回復時定数τ２の間、その変調色の何れかを保持することとなる。
【００６５】
図１０は、予め設定されたパターンＰ１、すなわち“Ｘ”を形成する特徴部でこの作用を示している。この例においては、“Ｘ”の一部（図１０において領域１４１として指定される）が、静的カラーアピアランスを示し、この静的カラーアピアランスが、ＳＭＦ特徴部の変調色Ｍと一致するように好ましくは選択され、“Ｘ”の別の補完部分（図１０において領域１４０として指定される）がＳＭＦ成分を含む。この例では、ＳＭＦ特徴部の対比色Ｃは、周囲可視光下でＳＭＦ特徴部を実質的に隠すために、白または非常に明るい色が有利には選択される。例示の目的で、ＳＭＦ成分は、以下のパラメータ：ＳＭＦ［白色，緑色，灰色，τ１，τ２，９０］を有することができる。また、追加領域１４２は、領域１４０，１４１の隣に形成され、その追加領域１４２は、照射刺激に曝されているときに蛍光色Ｆ＊を示す静的蛍光成分を含む。図１０の例では、追加領域１４２は、有利には、領域１４０，１４１の少なくとも一部の周囲に輪郭線を形成する。
【００６６】
図１０に示すように、結果として得られるパターンは、最初に、領域１４１の近接色により形成される単一ラインまたはバーとして見え（図１０における状態ａ．）、その後、領域１４０および１４２が（互いに一致する）それぞれの蛍光色ＦおよびＦ＊で蛍光を発するように形成されたパターンに変化し（図１０における状態ｂ．）、領域１４２が蛍光を発し続けている間に領域１４０が変調オフされるパターンに徐々に変化することとなる（図１０における状態ｃ．）。励起が抑制されると（図１０における状態ｄ．）、領域１４２が蛍光を発するのを止め、領域１４０が、最初に、その残留変調色（residual modulation color）Ｍを保持する。時間が経つに連れて、領域１４０は、その元の状態に可逆的に戻り、その結果、領域１４１のみが見え続ける（図１０における状態ｅ．）。
【００６７】
近接特徴部および静的な色にそれとなく融合するのに加えて、ＤＥＰは、様々な特徴部に複数の近接色で適用することができる。特に、特徴部は、動的作用成分を含む領域と、静的色成分のみを含む領域とが交互に並ぶ線分の形態で作成して、線分の一部が、線分の他の部分の静的応答とは対照的に、動的に変化する光学的スペクトル応答を示すものとすることができる。
【００６８】
そのような原理は、図１１に示す実施形態で使用されている。この図面は、交互に並ぶ線分１５，１６を使用して形成される特徴部を示し、ここでは、幾つかの線分１５が、一時的な蛍光応答を有する少なくとも１の動的作用成分を含む領域１５０を、静的色成分のみを有する領域１５１と結び合わせることにより形成され、幾つかの線分１６が、静的蛍光成分を有する領域１６０を含む。
【００６９】
この特定の例においては、線分１５，１６が組み合わされて、予め設定されたパターンＰ２（この場合には、数字の“２０”）を形成するような方法で、それぞれの特徴部１５０，１６０が配列される。さらに、この例では、動的作用成分は、対比色Ｃが線分１５の静的不活性部分１５１の近接色と厳密に一致するように選択されて周囲白色光下で動的活性領域１５０が隠れるようなＳＭＦ成分となるように選択されている。同様に、静的蛍光成分は、その不活性状態において実質的に白または非常に明るい色となって周囲白色光下で活性領域１６０が実質的に隠れるように選択される。そのような場合においては、周囲可視光下（図１１における状態ａ．）における特徴部の全体的な外観は、デザインそれ自体が特定のパターンの存在を直ぐさま明らかにすることはない。
【００７０】
入射電磁放射への最初の提供時に（図１１の状態ｂ．）、予め設定されたパターンＰ２が領域１５０および１６０により瞬時に明らかになり、それら領域が、それぞれの蛍光色ＦおよびＦ＊（それらは、同じでも異なるものであってもよい）で蛍光を発し始める。照射刺激への連続的な定常状態の曝露下において（図１１の状態ｃ．）、予め設定されたパターンＰ２を形成する領域１５０は、変調オフされて、それらの変調色Ｍに変化する一方、領域１６０は、遷移を続けて、パターンＰ２の外観上の容易に認識可能な全体の変化をもたらす。励起を除去すると（図１１の状態ｄ．）、領域１６０が、蛍光を発するのを止めて、領域１５０により形成される予め設定されたパターンＰ２の残留の部分的な提示のみを残し、領域１５０は、関連する回復時間τ２が経過して最初の対比色Ｃに戻る前に、初期の変調色Ｍを維持する。
【００７１】
図１２は、本発明に係るセキュリティ特徴部の別の実施形態を示しており、ここでは、第１および第２の動的作用特徴部１７１，１７２が対応する近接（または隣接）領域に適用されるとともに、第１および第２の動的作用特徴部の動的に変化する光学的スペクトル応答が異なり、動的作用特徴部によって形成されるパターンの結果として得られる外観が、照射刺激に対する曝露下で、色交換（color swap）の印象を生じさせるものとなっている。この具体的な例においては、動的作用特徴部１７１，１７２が予め設定されたパターンＰ３を一緒に形成し、この例では花の形状をなし、ここでは、第１動的作用特徴部１７１が、周囲可視光下で、その対比色Ｃ１から、照射刺激に曝された後に、変調色Ｍ１に変化し、この変調色Ｍ１が第２動的作用特徴部１７２の対比色Ｃ２と類似または厳密に一致するように選択される。同様に、第２動的作用特徴部１７２が、周囲可視光下における対比色Ｃ２から、照射刺激に曝された後に、変調色Ｍ２に変化し、この変調色Ｍ２が第１動的作用特徴部１７１の対比色Ｃ１と類似または厳密に一致するように選択される。
【００７２】
ＳＭＦ顔料は、この実施形態において使用することができるが、当然のことながら、照射刺激への最初の提供時に瞬間的な蛍光アピアランスを有することのないＤＥＰを使用することも可能である。
【００７３】
図１３は、本発明に係るセキュリティ特徴部の更なる実施形態を示しており、ここでは、異なる応答時間を有する３つの動的作用特徴部１８１，１８２，１８３が、対応する基材の近接または隣接領域に適用されて、動的作用特徴部により形成されるパターンの結果として得られる外観が、照射刺激に対する曝露下で段階的な変化の印象を与えるものとなっている。ここで、動的作用特徴部１８１，１８２，１８３により形成されるパターンＰ４は、様々な動的作用成分の動的に変化する作用を際立たせる単純なバー要素からなる。
【００７４】
例えば、図１４に示すように、その他のパターンも当然のことながら可能であり、ここでは、異なる応答時間（あるいはカラーアピアランス）を持つ第１および第２動的作用特徴部１９１，１９２からなる花の形状をとるパターンＰ５が示されている。
【００７５】
図１５は、本発明に係るセキュリティ特徴部のさらに別の実施形態を示しており、ここでは、第１および第２動的作用特徴部２００，２０５が、静的カラーアピアランスをそれぞれ有する第１および第２近接特徴部２０１，２０６に近接する対応領域に適用されて、動的作用特徴部２００，２０５および近接特徴部２０１，２０６により形成されるパターンＰ６の外観が、照射刺激への曝露下で空間周波数の変化の印象をもたらすものとなっている。
【００７６】
これを実現するために、第１動的作用特徴部２００が、第２近接特徴部２０６の静的カラーアピアランス（例えば、赤）および第１近接特徴部２０１の静的カラーアピアランス（例えば、青）とそれぞれ厳密に一致する対比色Ｃ１（例えば、赤色）および変調色Ｍ１（例えば、青色）を有するように選択される。反対に、第２動的作用特徴部２０５が、第１近接特徴部２０１の静的カラーアピアランスおよび第２近接特徴部２０６の静的カラーアピアランスとそれぞれ厳密に一致する対比色Ｃ２（例えば、青色）および変調色Ｍ２（例えば、赤色）を有するように選択される。
【００７７】
第１状態（例えば、図１５の状態ａ．）、すなわち、周囲可視光下において、パターンＰ６は、特定の空間周波数で赤と青の交互のバーを示す。照射刺激への曝露後の第２状態（例えば、図１５の状態ｂ．）において、第１および第２動的作用特徴部２００，２０５がそれぞれの変調色Ｍ１，Ｍ２に変化して、それにより、パターンＰ６を形成するバーの空間周波数を見掛け上変化させる。
【００７８】
添付の特許請求の範囲によって規定される発明の範囲から逸脱することなく、上述した実施形態に対して様々な変更および／または改善を加えることが可能である。例えば、ＳＭＦ顔料成分について言及してきたが、同様の作用を得るためにその他の種類のＤＥＰが実行に移されるものであってもよい。
【００７９】
また、上述した実施形態の組合せも可能である。例えば、図８ａ乃至８ｄの実施形態において、動的作用特徴部の周囲の近接特徴部の何れか一つに静的蛍光成分を適用して、その静的蛍光成分が、動的作用特徴部の蛍光カラーアピアランスと類似のまたは厳密に一致する蛍光カラーアピアランスを示すようにすることも想定される。
【符号の説明】
【００８０】
１０  動的作用を有する単一の顔料粒子（例えば、ＳＭＦ顔料粒子）
１０＊  動的作用成分を取り込んだコーティング、模様または同様の層（例えば、ＳＭＦ顔料粒子を取り込んだインクまたはワニス層）
２０  基材（例えば、紙幣または同様のセキュリティ文書の紙またはプラスチック基材）
Ｃ  ＳＭＦ特徴部の対比色（周囲可視光下）
Ｆ  ＳＭＦ特徴部の蛍光色（照射刺激への最初の提供時）
Ｍ  ＳＭＦ特徴部の変調色（照射刺激への連続的な定常状態の提供後）
τ１  所定のＳＭＦ顔料または特徴部の変調時間を規定する時定数
τ２  所定のＳＭＦ顔料または特徴部の回復時間を規定する時定数
ＭＤ  ＳＭＦ特徴部の相対的な変調度、すなわち、ＳＭＦ顔料または特徴部の蛍光の変調度の割合の大きさ
１００  動的作用特徴部（例えば、ＳＭＦ特徴部）
１０１  動的作用特徴部１００の第２カラーアピアランスと類似のまたは厳密に一致するカラーアピアランス（例えば、ＳＭＦ特徴部の蛍光色Ｆ）を有する第１近接特徴部
１０２  動的作用特徴部１００の第３カラーアピアランスと類似のまたは厳密に一致するカラーアピアランス（例えば、ＳＭＦ特徴部の変調色Ｍ）を有する第２近接特徴部
１１０  動的作用特徴部（例えば、ＳＭＦ特徴部）
１１０ｂ  照射刺激への最初の提供時に励起され、第２カラーアピアランス（例えば、ＳＭＦ特徴部の蛍光色Ｆ）を示す動的作用特徴部１１０の励起領域
１１０ｃ  照射刺激への連続的な定常状態の提供時に励起され、第３カラーアピアランス（例えば、ＳＭＦ特徴部の変調色Ｍ）を示す動的作用特徴部１１０の励起領域
１１０ｄ  励起領域１１０ｃに隣接し、照射源のディザリング時に第２カラーアピアランスを示す境界領域
１２０  動的作用特徴部（例えば、ＳＭＦ特徴部）
１２０ａ  動的作用特徴部１２０の第１カラーアピアランス（例えば、ＳＭＦ特徴部の対比色Ｃ）と類似のまたは厳密に一致するカラーアピアランスを有する近接特徴部（中心部）
１２０ｂ  動的作用特徴部１２０の第２カラーアピアランス（例えば、ＳＭＦ特徴部の蛍光色Ｆ）と類似のまたは厳密に一致するカラーアピアランスを有する近接特徴部（外側部）
１２１  動的作用特徴部（例えば、ＳＭＦ特徴部）
１２１ａ  動的作用特徴部１２１の第３カラーアピアランス（例えば、ＳＭＦ特徴部の変調色Ｍ）と類似のまたは厳密に一致するカラーアピアランスを有する近接特徴部（中心部）
１２１ｂ  動的作用特徴部１２１の第３カラーアピアランス（例えば、ＳＭＦ特徴部の変調色Ｍ）と類似のまたは厳密に一致するカラーアピアランスを有する近接特徴部（外側部）
１２２  動的作用特徴部（例えば、ＳＭＦ特徴部）
１２２ａ  動的作用特徴部１２２の第２カラーアピアランス（例えば、ＳＭＦ特徴部の蛍光色Ｆ）と類似のまたは厳密に一致するカラーアピアランスを有する近接特徴部（中心部）
１２２ｂ  動的作用特徴部１２２の第３カラーアピアランス（例えば、ＳＭＦ特徴部の変調色Ｍ）と類似のまたは厳密に一致するカラーアピアランスを有する近接特徴部（外側部）
１２３  動的作用特徴部（例えば、ＳＭＦ特徴部）
１２３ａ  動的作用特徴部１２３の第１カラーアピアランス（例えば、ＳＭＦ特徴部の対比色Ｃ）と類似のまたは厳密に一致するカラーアピアランスを有する近接特徴部（中心部）
１２３ｂ  動的作用特徴部１２３の第３カラーアピアランス（例えば、ＳＭＦ特徴部の変調色Ｍ）と類似のまたは厳密に一致するカラーアピアランスを有する近接特徴部（外側部）
１３０  動的作用特徴部（例えば、ＳＭＦ特徴部）
１３１  動的作用特徴部１３０の第１カラーアピアランス（例えば、ＳＭＦ特徴部の対比色Ｃ）と類似のまたは厳密に一致するカラーアピアランスを有する第１近接特徴部
１３２  動的作用特徴部１３０の第２カラーアピアランス（例えば、ＳＭＦ特徴部の蛍光色Ｆ）と類似のまたは厳密に一致するカラーアピアランスを有する第２近接特徴部
１３３  動的作用特徴部１３０の第３カラーアピアランス（例えば、ＳＭＦ特徴部の変調色Ｍ）と類似のまたは厳密に一致するカラーアピアランスを有する第３近接特徴部
１３５  動的作用特徴部（例えば、対比色Ｃと変調色Ｍが一致するＳＭＦ特徴部）
１３６  動的作用特徴部１３５の第１（および第３）カラーアピアランス（例えば、ＳＭＦ特徴部の対比色Ｃ）と類似のまたは厳密に一致するカラーアピアランスを有する第１近接特徴部
１３７  動的作用特徴部１３５の第２カラーアピアランス（例えば、ＳＭＦ特徴部の蛍光色Ｆ）と類似のまたは厳密に一致するカラーアピアランスを有する第２近接特徴部
１４０  一時的な蛍光カラーアピアランスを有する動的作用特徴部（例えば、ＳＭＦ特徴部）
１４１  動的作用特徴部１４０の変調色Ｍと類似のまたは厳密に一致するカラーアピアランスを有する近接特徴部
１４２  静的蛍光カラーアピアランスＦ＊を有する静的蛍光特徴部
Ｐ１  特徴部１４０，１４１，１４２によって形成される予め設定されたパターン（例えば、“Ｘ”形状）
１５  動的作用特徴部と静的な対比カラーアピアランスを有する特徴部との組合せを含む線分
１６  静的蛍光特徴部を含む線分
１５０  一時的な蛍光カラーアピアランスＦを有する線分１５の動的作用特徴部（例えば、ＳＭＦ特徴部）
１５１  動的作用特徴部１５０の対比色Ｃと一致する静的な対比カラーアピアランスを有する線分１５の特徴部
１６０  静的蛍光カラーアピアランスＦ＊を有する線分１６の静的蛍光特徴部
Ｐ２  特徴部１５０，１６０によって形成される予め設定されたパターン（例えば、数字の“２０”）
１７１  対比色Ｃ１および変調色Ｍ１を有する第１動的作用特徴部（例えば、ＳＭＦ特徴部）
１７２  第１動的作用特徴部１７１に対して交換した対比色Ｃ２および変調色Ｍ２を有する第２動的作用特徴部（例えば、ＳＭＦ特徴部）
Ｐ３  特徴部１７１，１７２によって形成され、色交換効果を示す予め設定されたパターン（例えば、花のパターン）
１８１  第１（短い）応答時間を有する第１動的作用特徴部
１８２  第２（中間の）応答時間を有する第２動的作用特徴部
１８３  第３（長い）応答時間を有する第３動的作用特徴部
Ｐ４  特徴部１８１，１８２，１８３によって形成され、見掛け上の段階的変化を示す予め設定されたパターン（例えば、バー要素のパターン）
１９１  第１（短い）応答時間を有する第１動的作用特徴部
１９２  第２（長い）応答時間を有する第２動的作用特徴部
Ｐ５  特徴部１９１，１９２によって形成され、見掛け上の段階的変化を示す予め設定されたパターン（例えば、花のパターン）
２００  対比色Ｃ１（例えば、赤）および変調色Ｍ１（例えば、青）を有する第１動的作用特徴部（例えば、ＳＭＦ特徴部）
２０１  静的カラーアピアランス（例えば、青）を有する第１近接特徴部
２０５  第１動的作用特徴部２００に対して交換した対比色Ｃ２および変調色Ｍ２を有する第２動的作用特徴部（例えば、ＳＭＦ特徴部）
２０６  静的カラーアピアランス（例えば、赤）を有する第２近接特徴部
Ｐ６  特徴部２００，２０１，２０５，２０６によって形成され、空間周波数の見掛け上の変化を示す予め設定されたパターン（例えば、バー要素のパターン）
【図１】
0006293662.tif 000002
【図２】
0006293662.tif 000003
【図３】
0006293662.tif 000004
【図４】
0006293662.tif 000005
【図５】
0006293662.tif 000006
【図６ａ】
0006293662.tif 000007
【図６ｂ】
0006293662.tif 000008
【図６ｃ】
0006293662.tif 000009
【図７ａ】
0006293662.tif 000010
【図７ｂ】
0006293662.tif 000011
【図７ｃ】
0006293662.tif 000012
【図８ａ】
0006293662.tif 000013
【図８ｂ】
0006293662.tif 000014
【図８ｃ】
0006293662.tif 000015
【図８ｄ】
0006293662.tif 000016
【図９ａ】
0006293662.tif 000017
【図９ｂ】
0006293662.tif 000018
【図１０】
0006293662.tif 000019
【図１１】
0006293662.tif 000020
【図１２】
0006293662.tif 000021
【図１３】
0006293662.tif 000022
【図１４】
0006293662.tif 000023
【図１５】
0006293662.tif 000024